(57)【要約】【課題】貼り替えをしようとしたときには簡単に破れてしまい、元通りの状態で再度貼り付けることが不可能で、しかも、不要となった時には簡単にきれいに剥離できるようにしたラベルが一部に貼り付けられてなるラベル付き容器の提供を課題とする。【解決手段】ラベルは少なくとも紙層と樹脂フィルム層とが積層されてなるラベル基材を有し、その紙層の上には印刷層が、樹脂フィルム層の上にはその中央の非貼着部を挟んだ左側端部と右側端部に貼着部が設けられていると共に、ラベル基材の上方周縁には、左方周縁側から貼着部、非貼着部、貼着部の形成領域を順次経由して右方周縁側に到る部分に複数の切れ目が連続的に配列されてなる切れ目部が、ラベル基材の下方周縁には、左方周縁側から貼着部、非貼着部、貼着部の形成領域を順次経由して右方周縁側に到る部分に複数の切れ目が連続的に配列されてなる切れ目部が設けられていることを特徴とする。【選択図】図３
2010173668.tif 000002
【特許請求の範囲】
【請求項１】
一部にラベルが貼り付けられてなるラベル付き容器であって、ラベルは少なくとも紙層と樹脂フィルム層とが積層されてなるラベル基材を有し、その紙層の上には印刷層が、樹脂フィルム層の上にはその中央の非貼着部を挟んだ左側端部と右側端部に貼着部が設けられていると共に、ラベル基材の上方周縁には、左方周縁側から貼着部、非貼着部、貼着部の形成領域を順次経由して右方周縁側に到る部分に複数の切れ目が連続的に配列されてなる切れ目部が、ラベル基材の下方周縁には、左方周縁側から貼着部、非貼着部、貼着部の形成領域を順次経由して右方周縁側に到る部分に複数の切れ目が連続的に配列されてなる切れ目部が設けられていることを特徴とするラベル付き容器。
【請求項２】
前記切れ目部の切れ目は、ラベル基材に半切れ状に形成されたものであることを特徴とする請求項１記載のラベル付き容器。
【請求項３】
前記切れ目部の切れ目は、ラベル基材を貫通するように形成されたものであることを特徴とする請求項１記載のラベル付き容器。
【発明の詳細な説明】
【技術分野】
【０００１】
本発明は、貼り替えをしようとしたときには簡単に破れてしまい、元通りの状態で再度貼り付けることが不可能で、しかも、不要となった時には簡単にきれいに剥離できるようにしたラベルが一部に貼り付けられてなるラベル付き容器に関する。
【背景技術】
【０００２】
ドレッシングやジュース等が充填されているガラス製容器においては、充填物を使い切った後に容器本体とその一部に貼り付けられているラベルを分離し、容器本体は再利用に供されるようにするため、そこに貼られているラベルを容易に剥がれる構成のものにしたり、容器本体に剥離の痕跡が残らないような糊（感熱ニス）を使用してラベルを貼りつけるようにしている。
このようなラベル付き容器においては、ラベルを傷つけることなく容易に剥がせ、再度貼り付けることができてしまうため、商品にいたずらをしてから再度貼り付けされたとしてもその痕跡が残らず、不正な貼り替えがなされたことが分からなかった。
【０００３】
そのような状況の下、不正な貼り替えができないようにしたラベルが種々提案されている。
例えば、ラベルの一部が抜き取り可能となるように切取線等を形成し、一旦商品に貼り付けたものを剥がそうとすると、切取線で囲まれる部分のみが商品側に貼り残されるようにし、不正な貼り替えを防止するようにしたラベルがある（例えば、特許文献１参照。）。
【０００４】
しかし、このようなタイプのラベルは不正な貼り替えに対しては所定の効果が期待できるが、一旦容器本体等に貼られたものを簡単に、且つきれいに剥がせることが難しく、容器本体の再利用に際して行う必要があるラベルの剥離作業に多大な手間を要していた。そこで最近は、不正な貼り替えが行われないようにするだけでなく、剥離しようとしたときには痕跡を残さないで容易に剥離することができるタイプのラベルの開発が強く望まれるようになってきており、種々の提案がなされている。
【０００５】
例えば、表面に所定の情報が印字されたシール基材の外周縁に渡って複数形成された破断線と、シール基材の裏面の中央近傍位置に所定の幅で形成された非粘着部と、この非粘着部を囲むように形成した粘着部を有してなるラベルが提案されている（例えば、特許文献２参照。）。
【先行技術文献】
【特許文献】
【０００６】
【特許文献１】特開２００１−３０５９６４号公報
【特許文献２】特開２００４−２０５９５４号公報
【発明の概要】
【発明が解決しようとする課題】
【０００７】
しかしながら、このような従来のラベルは、所望の貼り替え防止機能は有するものの、周辺部分がすべて粘着部となっているため、被貼着物からすべてをきれいに剥がすためには手間が非常に掛かっていた。また、その製造に当たっては、ラベルの周辺すべてに粘着部を設ける必要があるため、粘着剤の使用量が多くなり、製造コストがかかってしまうという問題点も抱えていた。
【課題を解決するための手段】
【０００８】
以上のような状況の下になされ、請求項１に記載の発明は、一部にラベルが貼り付けられてなるラベル付容器であって、少なくとも紙層と樹脂フィルム層とが積層されてなるラベル基材を有し、その紙層の上には印刷層が、樹脂フィルム層の上にはその中央の非貼着部を挟んだ左側端部と右側端部に貼着部が設けられていると共に、ラベル基材の上方周縁には、左方周縁側から貼着部、非貼着部、貼着部の形成領域を順次経由して右方周縁側に到る部分に複数の切れ目が連続的に配列されてなる切れ目部が、ラベル基材の下方周縁には、左方周縁側から貼着部、非貼着部、貼着部の形成領域を順次経由して右方周縁側に到る部分に複数の切れ目が連続的に配列されてなる切れ目部が設けられていることを特徴とするラベルが貼り付けられてなるラベル付き容器である。
【０００９】
また、請求項２に記載の発明は、請求項１に記載のラベル付き容器において、前記切れ目部の切れ目は、ラベル基材に半切れ状に形成されたものであることを特徴とする。
【００１０】
さらにまた、請求項３に記載の発明は、請求項１に記載のラベル付き容器において、前記切れ目部の切れ目は、ラベル基材を貫通するように形成されたものであることを特徴とする。
【発明の効果】
【００１１】
本発明のラベル付き容器は、貼り付けられているラベルを不正に貼り替えしようとしたときには簡単に破れてしまい、元通りの状態では再度貼り付けすることが不可能となり、しかも、不要となった時には再貼着不可能な状態で容易に、且つきれいに容器本体から剥離することができる。
【図面の簡単な説明】
【００１２】
【図１】本発明のラベル付き容器の概観を示す説明図である。
【図２】本発明のラベル付き容器の一部を構成するラベルの概略の断面構成を示す説明図である。
【図３】本発明のラベル付き容器の一部を構成するラベルの裏面の平面状態を示す説明図である。
【図４】容器本体へ貼り付けられたラベルの種々の形態を示す説明図である。
【発明を実施するための形態】
【００１３】
以下、本発明の実施の形態について、図面を参照して詳細に説明する。
【００１４】
図１には本発明のラベル付き容器１が示してある。このラベル付き容器１は、図示の如く、その一部にラベル２が貼り付けられてなるものである。
【００１５】
このラベル２は、図２や図３に示すように、容器本体の一部にラベルが貼り付けられていて、少なくとも紙層２１と樹脂フィルム層２２とが積層、一体化されてなるラベル基材２４を有し、その紙層２１の上には印刷層２５が、樹脂フィルム層２２の上にはその中央の非貼着部２７を挟んだ左側端部と右側端部のみに貼着部２６が設けられていると共に、ラベル基材２４の上方周縁には、左方周縁２９ａ側から貼着部２６、非貼着部２７、貼着部２６の形成領域を順次経由して右方周縁２９ｂ側に到る部分に複数の切れ目３０が連続的に配列されてなる切れ目部２８ａが、ラベル基材２４の下方周縁には、左方周縁２９ａ側から貼着部２６、非貼着部２７、貼着部２６の形成領域を順次経由して右方周縁２９ｂ側に到る部分に複数の切れ目３０が連続的に配列されてなる切れ目部２８ｂが設けられていることを特徴とするラベル２０が貼り付けられてなるラベル付き容器である。
【００１６】
ラベル基材２４を構成する紙層２１と樹脂フィルム層２２のそれぞれは、模造紙、証券
用紙、上質紙、アート紙等の紙と、ポリエステルフィルム、ポリプロピレンフィルム、ポリエチレンフィルム、ポリ塩化ビニルフィルム等の樹脂フィルムからなるものである。そして、このような紙と樹脂フィルムとが接着層２３を介して積層、一体化され、ラベル基材２４が構成されている。
【００１７】
このラベル基材２４の紙層２１の上には、ラベルとして必要とされる種々の画像情報がオフセット印刷やグラビア印刷等の印刷方法で印刷され、印刷層２５を形成している。
また、樹脂フィルム層２２の上には、図３にも示すように、中央の非貼着部２７を挟んだ左側端部と右側端部に貼着部２６、２６がそれぞれ設けられている。
【００１８】
本発明のラベル付き容器においては、その一部を構成するラベルのラベル基材の樹脂フィルム層の周辺すべてに粘着部を設けず、樹脂フィルム層２２中央の非貼着部２７を挟んだ両端部分にのみに貼着部２６、２６を設けることにより、粘着部２６、２６の占有面積を少なくし、しかも中央部は容器本体に貼り付かないようにしてあるため、ラベル２０を剥がす際には後述する切り目部２８ａ、２８ｂをきっかけとするラベル基材２４の破断が非貼着部２７まで容易に達することになる。
【００１９】
ラベル基材２４の破断が非貼着部２７まで進むと、その部分では破断したラベル基材２４の一部が容器本体の貼り付け面から浮き上がるようになり、そこをきっかけとしてラベル基材２４をつまみ上げ、ラベル２０が容器本体から非常に容易に、且つきれいに剥がせるようになる。
【００２０】
一方、ラベル基材２４の上方周縁には、前述したように、左方周縁２９ａ側から貼着部２６、非貼着部２７、貼着部２６の形成領域を順次経由して右方周縁２９ｂ側に到る部分に複数の切れ目３０が連続的に配列されてなる切れ目部２８ａが、ラベル基材２４の下方周縁には、左方周縁２９ａ側から貼着部２６、非貼着部２７、貼着部２６の形成領域を順次経由して右方周縁２９ｂ側に到る部分に複数の切れ目３０が連続的に配列されてなる切れ目部２８ｂが設けられている。
【００２１】
この切れ目部２８ａ、２８ｂは、ラベルを剥がそうとしたときに、この部分からラベル基材２４が非貼着部２７の方向に容易に破断していき、元の状態で再度被貼着物に貼り付けることができないようになり、不正な貼り替えができないようにするために設けるものである。
【００２２】
この切れ目部２８ａ、２８ｂの切れ目３０は、ラベル基材２４に半切れ状に形成されたものや、ラベル基材２４を貫通するように形成されたものである。
【実施例】
【００２３】
以下、本発明の実施例について説明する。
【００２４】
まず、模造紙（大王製紙社製の竜王コート；坪量６０ｇ／ｍ２）とポリエチレンフタレートフィルム（東洋紡績社製のＥ５２００、厚さ１２μｍ）とを接着剤（東洋モートン社製のＡＤＮ２９０）を使用して、塗布量２．５ｇ／ｍ２にてドライラミネートし、紙層と樹脂フィルム層との積層構成になるラベル基材を得た。
【００２５】
次に、このラベル基材の紙層である模造紙の上にグラビア印刷により印刷を施し、印刷層を形成した。
一方、ラベル基材の樹脂フィルム層であるＰＥＴフィルムの上には、中央の非貼着部を挟んだ両端部分のみに、感熱ニス（ＤＩＣ社製のＤＬＡ−５０５）を用いてセル深度が６０μのグラビア印刷版によりｗｅｔ塗布量１．２ｋｇ／Ｒにて貼着部を設けた。
【００２６】
そして、ラベル基材の上方周縁に、左方周縁側から貼着部、非貼着部、貼着部の形成領域を順次経由して右方周縁側に到る部分に複数の切れ目が連続的に配列されてなる切れ目部を、ラベル基材の下方周縁には、左方周縁側から貼着部、非貼着部、貼着部の形成領域を順次経由して右方周縁側に到る部分に複数の切れ目が連続的に配列されてなる切れ目部を、スリッター機で設け、ラベルを得た。
そして、この様にして得られたラベルをドレッシングが充填してあるガラス容器本体の胴部にその貼着部で貼り付け、本発明のラベル付き容器を得た。
【００２７】
次に、ラベル基材等の構成は上述のラベルと同じで、切れ目部の形成箇所のみ異なるラベル２ｂ、２ｃ、２ｄ、２ｅ、２ｆを作成し、これらもガラス容器の胴部に貼り付けた。図４は、ラベル２ａ、２ｂ、２ｃ、２ｄ、２ｅ、２ｆのそれぞれがガラス容器本体の胴部に貼り付けられている様子を示している。図４中、８ａ、８ｂ、８ｃ、８ｄ、８ｅ、８ｆはラベルの一部に設けられている切れ目部を示している。
【００２８】
続いて、このようにガラス容器本体に貼り付けられているラベルの剥離性のテストを行った。ラベルの上部隅角部（６ａ、６ｂ、６ｃ、６ｄ、６ｅ、６ｆ）と下部隅各部（７ａ、７ｂ、７ｃ、７ｄ、７ｅ、７ｆ）のそれぞれを剥がす際のきっかけとし、そこからラベルの内側に向かって剥離を行い、そのときの剥離状態を目視で観察して剥離性のテストを行った。表１に剥離性テストの結果を示す。切れ目より破れた場合は○とし、ラベルが破れなかった場合は×とした。
【００２９】
【表１】
2010173668.tif 000003
【００３０】
得られたラベル付き容器のラベル２ａを剥がそうとすると、上部隅角部６ａから剥離を行った場合でも、部隅各部７ａから剥離を行った場合でも、切り目部からラベル基材が破断し始め、さらに剥離を進めると、その破断がラベル基材の非貼着部まで進んでしまい、再貼着できないような状態となった。ラベル基材の破断がラベル基材の中央部分まで進むと、破断したラベル基材の一部が容器本体の貼り付け面から浮き上がった。そして、浮き上がった部分を摘んでラベル全体を剥がしたところ、きわめて容易に、しかも剥離の痕跡をガラス容器本体側に残すことなく、非常にきれいにその全体を剥がすことができた。
【００３１】
２ａ以外のラベルは、表１からも分かるように、剥離のきっかけの部分が異なるとラベルが破れないで剥離してしまうことがあった。
【産業上の利用可能性】
【００３２】
本発明は、ドレッシングやジュース等を充填するためのラベル付き容器であって、使用後にラベルを容器本体側から剥離し、容器本体を再利用するようになっているラベル付き容器等として有効に利用することができる。
【符号の説明】
【００３３】
１・・・ラベル付き容器
２、２０・・・ラベル
２ａ、２ｂ、２ｃ、２ｄ、２ｅ、２ｆ・・・ラベル
３・・・容器本体
６ａ、６ｂ、６ｃ、６ｄ、６ｅ、６ｆ・・・上部隅角部
７ａ、７ｂ、７ｃ、７ｄ、７ｅ、７ｆ・・・下部隅角部
８ａ、８ｂ、８ｃ、８ｄ、８ｅ、８ｆ・・・切れ目
２１・・・紙層
２２・・・樹脂フィルム層
２３・・・接着層
２４・・・ラベル基材
２５・・・印刷層
２６・・・貼着部
２７・・・非貼着部
２８ａ、２８ｂ・・・切れ目部
２９ａ・・・左方周縁
２９ｂ・・・右方周縁
３０・・・切れ目
【図１】
2010173668.tif 000004
【図２】
2010173668.tif 000005
【図３】
2010173668.tif 000006
【図４】
2010173668.tif 000007